(57)【特許請求の範囲】
【請求項１】
被検出体の通路に設けられ、該被検出体を検出する検出装置であって、
配線パターンにて形成されるコイルと、該コイルのインダクタンス成分を用いて発振する発振回路と、該発振回路の発振状況に応じてオン・オフするスイッチング回路とを、同一の基板に実装し、
該基板を、上蓋と下箱とからなるケースに収納し、
該ケースを構成する前記上蓋と下箱とは、係合片が突出部を乗り上げることで係合する係合部を備え、
前記基板の前記コイルの内側、およびこれに対応する前記上蓋および下箱の位置に、前記被検出体が通過する開口部を設け、
前記係合部を、前記ケースの前記開口部を挟んだ両側に設けた
検出装置。
【請求項２】
前記係合部の二つは、上蓋の前記開口部側の両隅に設けられたＬ字形の係合片と、前記下箱の前記係合片と係合する位置に設けられた突出片とからなる請求項１記載の検出装置。
【請求項３】
前記係合部の二つは、上蓋の前記開口部とは反対側の両側部に設けられたＴ字形の係合片と、前記下箱の前記係合片と係合する位置に設けられた２つの突出片とからなる請求項１または請求項２記載の検出装置。
【発明の詳細な説明】
【０００１】
【発明の属する技術分野】
本発明は、磁性体あるいは金属体からなる被検出体の存在や移動の方向などの移動情報を、非接触で検出する検出装置に関する。
【０００２】
【従来の技術】
従来、この種の検出装置の検出部として、被検出体の磁性あるいは導電性を利用して発振回路の回路定数を変化させ、その近接を検出するものが知られている。図８に示すように、数十ｋＨｚの高周波発振回路中の発振コイルＬからでた磁界中に被検出体Ｋが入ると、被検出体Ｋ内に渦電流が流れる。この渦電流の発生は、電流損失を生じ、高周波発振回路の発振エネルギを消費することになるから、通常その発振は停止し、この発振状況から被検出体Ｋの存在を検出するのである。
【０００３】
また、被検出体が磁性体である場合にも、発振コイルＬの磁界中に被検出体Ｋが入ると、発振コイルＬの鎖交磁束Φが変化することで発振コイルＬの自己インダクタンス値が変化して高周波発振条件が崩れ、発振が停止するため、同様に被検出体Ｋの存在を検出することができる。
【０００４】
従って、この様な検出部を複数備え、各検出部の発振状況に基づいて検出状況を判別すれば、被検出体Ｋの移動方向や移動速度などの近接状況を知ることができる。
【０００５】
【発明が解決しようとする課題】
しかしながら、図８に示した検出装置の検出部では、被検出体Ｋの通路の傍らに比較的寸法の大きな発振コイルＬを設ける必要があることから、装置全体をコンパクトに設計することができないといった問題があった。被検出体Ｋの近接状況を詳細に知ろうとすれば、被検出体Ｋの移動経路により多くの検出部を設ける必要があり、その問題は一層顕著となる。しかも、被検出体Ｋの近接速度などを知るためには、被検出体Ｋが通過したことをおおよその位置で検出するのでは足りず、いわばピンポイントでの検出が必要となるが、従来の装置では、検出位置にはかなりのバラツキがあり、近接速度などの正確な検出は困難であるという問題があった。
【０００６】
また、従来の検出装置は、複数の発振コイルＬとこれに電気的に接続される回路基板とから構成されていることから、部品点数が多くなり、組立作業が複雑で、信頼性が低いという問題があった。特に、複数の発振コイルＬと回路基板との電気的接続にリード線などを用いる場合には、組立工数が増大するのみならず、その接続を間違えて装置の信頼性が低くなるという問題もあった。結線関係を誤れば、被検出体Ｋの移動方向を実際とは逆方向に認識してしまうことも考えられ、装置の信頼性にも大きく影響してしまう。
【０００７】
本発明の検出装置は、こうした問題を解決し、信頼性および組立作業性の向上を図りつつも、装置全体の小型化および組立の簡易化を可能とすることを目的としてなされ、次の構成を採った。
【０００８】
【課題を解決するための手段およびその作用・効果】
本発明の検出装置は、
被検出体の通路に設けられ、該被検出体を検出する検出装置であって、
配線パターンにて形成されるコイルと、該コイルのインダクタンス成分を用いて発振する発振回路と、該発振回路の発振状況に応じてオン・オフするスイッチング回路とを、同一の基板に実装し、
該基板を、上蓋と下箱とからなるケースに収納し、
該ケースを構成する前記上蓋と下箱とは、係合片が突出部を乗り上げることで係合する係合部を備え、
前記基板の前記コイルの内側、およびこれに対応する前記上蓋および下箱の位置に、前記被検出体が通過する開口部を設け、
前記係合部を、前記ケースの前記開口部を挟んだ両側に設けたこと
を要旨とする。
【０００９】
以上説明したように本発明の検出装置では、磁性体あるいは金属体からなる被検出体の近接方向等の近接状況を非接触で確実に検出することができ、しかも、装置の部品点数を低減して、信頼性および組立作業性の向上を図ると共に、装置全体をコンパクトに収めることができる。
【００１０】
ここで、係合部の二つは、上蓋の開口部側の両隅に設けられたＬ字形の係合片と、前記下箱の前記係合片と係合する位置に設けられた突出片とから構成することができる。あるいは、係合部の二つは、上蓋の開口部とは反対側の両側部に設けられたＴ字形の係合片と、前記下箱の前記係合片と係合する位置に設けられた２つの突出片とを有する構成とすることもできる。
【００１２】
【発明の実施の形態】
以上説明した本発明の構成・作用を一層明らかにするために、以下本発明の検出装置の好適な実施例について説明する。図１は検出部１０の外観を示す斜視図、図２は実施例の検出装置２を備え付けたパチンコ遊技台１の概略構成を示す説明図、図３は検出部１０Ａの分解斜視図、図４は検出部１０の回路図、図５は検出装置全体の回路図である。以下、各図を適宜参照しつつ説明する。
【００１３】
この実施例は、パチンコ玉を被検出体としており、検出装置を、パチンコ遊技台１において遊技盤３に向けて発射され実際に遊技に使用されるパチンコ玉の遊技状況を検出するパチンコ玉発射検出装置として用いたものである。このパチンコ玉発射検出装置は、図１に示した検出部１０と、図５に示した移動情報判定部としての制御回路７０とから構成されている。パチンコ遊技台１における使用について説明する関係上、検出部１０から説明する。検出部１０は、図２に示すように、図示しないパチンコ玉発射装置から発射されたパチンコ玉がパチンコ遊技盤３へ飛び出していく発射経路５の途中であって、戻玉経路９との分岐点下流に配置されている。
【００１４】
戻玉経路９（図中の一点鎖線）は、パチンコ玉発射装置からの発射初速が不十分であるときの戻玉、あるいはパチンコ遊技台の釘の弾発力により発射経路に戻って来た戻玉を受け皿７へ導き、次のパチンコ玉の発射の妨げとならないように構成されている。従って、検出部１０に対してパチンコ玉は、通常は、パチンコ玉発射装置からパチンコ遊技盤３への方向に通過し、発射初速が不十分な場合等には、その逆方向に通過する。
【００１５】
次に、パチンコ玉発射検出装置２の構成について説明する。パチンコ玉発射検出装置２の検出部１０は、図１に示すように、２個の同一の検出部１０Ａ，１０Ｂを重ねた形状をしている。この検出部１０Ａ，１０Ｂは、単独でも使用可能なものであり、ここでは、これを２個重ねて接着剤等で張り合わせている。パチンコ玉発射検出装置２は、パチンコ玉の発射経路に、検出部１０Ａが上流側となるよう、即ち発射装置によって発射されたパチンコ玉の場合、検出部１０Ａが先に検出するように配置される。検出部１０Ａ，１０Ｂの詳細な構造について説明する。なお、２つの検出部１０Ａ，１０Ｂは同一の構造であり、説明の重複を避けるために両検出部１０Ａ，１０Ｂに共通の構造については符号Ａ，Ｂを省略して説明する。
【００１６】
図１，図３に示すように、検出部１０は、上蓋１１と下箱１２とを備え、両部材を組み合わせた内部に回路基板１３を備える。
この上蓋１１には、略Ｌ字形の１対のＬ字片２１，２２と、略Ｔ字形の１対のＴ字片２３（図中、片側だけを示す）とが設けられおり、下箱１２には、Ｌ字片２１，２２とそれぞれ係合する１対の突出片３１、３２と、Ｔ字片２３と係合する１対の突出片３３、３４（図中、片側だけを示す）とが設けられている。上蓋１１および下箱１２は、各片が係合することにより、ワンタッチで組み合わされて、立方体形状の箱体を形成する。なお、上蓋１１および下箱１２には、パチンコ玉Ｐが貫通する貫通孔４１，４２がそれぞれ設けられている。
【００１７】
回路基板１３の一端は、その上蓋１１および下箱１２からなる箱体の外に飛び出しており、後述する制御回路７０への接続用の端子Ｔ１，Ｔ２として用いられている。回路基板１３には、図４に示したコイルＬ１やトランジスタＴｒ１，Ｔｒ２等の電子部品が組み立てられている。なお、図３に示すように、回路基板１３には、上蓋１１および下箱１２を組み合わせたときに貫通孔４１，４２と連通する位置に、パチンコ玉Ｐの貫通孔５１が設けられており、コイルＬ１は、その貫通孔５１の周囲に形成された表面と裏面それぞれ１ターンの計２ターンの配線パターン５２から構成されている。両面基板の裏面は、ファラディシールドとなっており、ノイズを防いで、回路基板１３の誤動作を防止している。
【００１８】
回路基板１３には、図４に示すように、１２ボルトが供給される電源端子Ｔ１と、検出端子Ｔ２とが設けられている。この検出端子Ｔ２は、回路のグランドレベルを兼ねており、ＭＰＵ７２側では抵抗器ＲＤを介して接地されている。回路基板１３には、発振回路ＣＯと、発振回路ＣＯの発振状態に基づいてオン・オフするスイッチング回路ＳＷとが設けられている。
【００１９】
スイッチング回路ＳＷには、電源端子Ｔ１から１２ボルトの電圧が加えられているが、検出端子Ｔ２が抵抗器ＲＤ（本実施例では抵抗値６８０Ω）により接地されていることから、スイッチング回路ＳＷの電源電圧（端子Ｔ１−Ｔ２間電圧）は、スイッチング回路ＳＷのトランジスタＴｒ２のオン・オフ状態により変化する。一方、発振回路ＣＯには、電源端子Ｔ１と検出端子Ｔ２との間に介装された抵抗器Ｒ１（本実施例では抵抗値２７ＫΩ）とツェナーダイオードＤ１によって安定化されたツェナー電圧Ｖｚ（本実施例では約５．５ボルト）が供給される。
【００２０】
発振回路ＣＯは、特性が同一の２つのトランジスタを同一チップ内に形成した双トランジスタＴｒ１を備え、この双トランジスタＴｒ１の一方のエミッタとグランドラインとの間に介装されたコンデンサＣ１およびコイルＬ１と、双トランジスタＴｒ１の他方のエミッタとコイルＬ１の中間タップとの間に介装された抵抗器Ｒ３およびコンデンサＣ２とにより、コルピッツ型の高周波発振回路として構成されている。なお、双トランジスタＴｒ１のベースは、抵抗器Ｒ２を介して電源ラインに接続されている。この発振回路ＣＯの発振周波数は、コイルＬ１のインダクタンスとコンデンサＣ１，Ｃ２の容量とで決まり、本実施例ではおよそ３００ＫＨｚとなっている。
【００２１】
双トランジスタＴｒ１のコレクタの一方は使用されていないが、他方はスイッチング回路ＳＷのトランジスタＴｒ２のベース端子に接続されている。トランジスタＴｒ２のベース端子には、グランドラインとの間にコンデンサＣ３が接続されており、また、電源ラインとの間に抵抗器Ｒ４が接続されている。エミッタ端子には抵抗器Ｒ５（本実施例では２２０Ω）が接続されている。また、トランジスタＴｒ２のコレクタ端子は、電源ラインに接続されている。発振回路ＣＯが発振している状態では、双トランジスタＴｒ１は約３００ＫＨｚでオン・オフを繰り返しており、双トランジスタＴｒ１がオンのときには、そのコレクタ電流はスイッチング回路ＳＷのトランジスタＴｒ２のベースから流れ込んでトランジスタＴｒ２をターンオンする。一方、発振回路ＣＯの発振により双トランジスタＴｒ１が僅かの時間オフとなる間は、トランジスタＴｒ２のベース電流はコンデンサＣ３の放充電により継続され、トランジスタＴｒ２はオン状態に保たれる。
【００２２】
発振回路ＣＯが発振している状態で、回路基板１３の貫通孔５１を金属製の被検出体であるパチンコ玉Ｐが通過すると、コイルＬ１の磁束がパチンコ玉Ｐを通り抜けることになり、パチンコ玉Ｐ内には渦電流が流れて電流損失を生じる。パチンコ玉Ｐは通常金属製であるが、パチンコ玉が金属以外の材料で作られ表面にメッキがしてある場合でも、メッキなどの薄膜では断面積が小さいことからかなり大きな渦電流損失となる。渦電流の発生は発振回路ＣＯの発振エネルギを消費することになるから、その高周波発振は著しく減衰しほぼ停止する。
【００２３】
パチンコ玉Ｐが貫通孔５１を通過せずコイルＬ１に接近していない状態、即ち、発振回路ＣＯが発振している状態では、トランジスタＴｒ２はオン状態となっており、一方、発振回路ＣＯの発振がほぼ停止状態となると、スイッチング回路ＳＷのトランジスタＴｒ２はターンオフする。抵抗器Ｒ５は抵抗器Ｒ１より抵抗値が小さいから（本実施例では２２０Ω：２７ＫΩ）、トランジスタＴｒ２がオン状態となると、電源端子Ｔ１からトランジスタＴｒ２，抵抗器Ｒ５を介してツェナーダイオードＤ１に流れる電流は、抵抗器Ｒ１を介して流れる電流より増大する（本実施例ではおよそ約１３０倍となる）。この電流は最終的には、検出端子Ｔ２に接続された抵抗器ＲＤを介して接地側に流れ込むから、抵抗器ＲＤの両端電圧、即ちＭＰＵ７２の入力ポートＰの電圧は、トランジスタＴｒ２がオフ状態で約０．２ボルト、オン状態で約４．９ボルトとなる。従って、ＭＰＵ７２は入力ポートＰの状態を監視することで、検出部１０がパチンコ玉Ｐを検出している状態（ロウレベル）、検出していない状態（ハイレベル）を容易に知ることができる。
【００２４】
以上のようにして検出部１０Ａ，１０Ｂからの検出信号はＭＰＵ７２の入力ポートＰＡ，ＰＢに入力され、ＭＰＵ７２は発射経路の途中でのパチンコ玉の通過状況を知ることができる。なお、入力ポートＰＡ，ＰＢは一度に読み取ることができる。図５は、このＭＰＵ７２を中心として構成される制御回路７０の回路構成図である。この制御回路７０は、移動情報判定部として作動するが、同時にパチンコ玉発射装置８０を構成するモータ８２の回転数やパチンコ遊技台の役物などをも駆動制御する。
【００２５】
図示するようにＭＰＵ７２は、プログラムを不揮発的に記憶しているＲＯＭや情報を一時的に記憶するＲＡＭなどの周辺回路を内蔵した１チップのコンピュータである。また、このＭＰＵ７２は、前述した検出部１０からの検出信号ばかりでなく、パチンコ玉発射装置８０を駆動する直流モータ８２への供給電圧を調整するモータドライバ７４を制御し、パチンコ遊技盤３に備えられる各種入出力機器９０を入出力インタフェース７６を介して制御あるいは監視している。入出力機器９０としては、ハンドル９２の操作を検出するタッチセンサ，入賞球を検出する入賞球センサ等あるいは各種スイッチ等の入力機器、役物の駆動用ソレノイドやランプなどの電装品がある。
【００２６】
次に、このＭＰＵ７２により実行される各種プログラムの中で、検出部１０Ａ，１０Ｂからの検出信号を処理する機能を実現する有効球数カウント処理ルーチンについて説明する。図６は、そのパチンコ玉発射プログラムのフローチャートである。このプログラムは、遊技者が発射ハンドル９２を操作したことをタッチセンサにより検出したとき、直流モータ８２への通電制御をＭＰＵ７２が開始すると同時に、割込処理により繰り返し処理される。この繰り返しの処理は、パチンコ玉Ｐの移動方向を検出するのに、十分な間隔で実行される。なお、以下に説明する処理におけるフラグＦｎ，Ｆｒ等のデフォルト値は値０である。
【００２７】
本ルーチンを開始すると、ＭＰＵ７２は、まずポートＰＡ，ＰＢの状態を読み込む処理を行ない（ステップＳ１００）、続いてこの状態を判別する（ステップＳ１１０）。パチンコ玉Ｐが検出部１０Ａの側から、即ち通常の発射経路５に沿って通過すると、パチンコ玉Ｐの侵入は検出部１０Ａが検出部１０Ｂより先に検出するから、ポートＰＡがロウレベル（値０）でポートＰＢがハイレベル（値１）となる。この場合には、処理はステップＳ１２０に進み、フラグＦｎに値１をセットする処理を行なう（ステップＳ１２０）。
【００２８】
一方、検出部１０に対して検出部１０Ｂ側からパチンコ玉Ｐが侵入する場合には、ポートＰＢがロウレベルでポートＰＡがハイレベルとタイミングが先に生じる。パチンコ玉Ｐが検出部１０Ｂ側から侵入するようなケースは、パチンコ玉Ｐがパチンコ遊技盤３の釘に跳ねて戻ってくる場合やパチンコ玉発射装置８０によるパチンコ玉発射の初速が小さくてパチンコ玉発射検出部１０を一旦は通過しながらパチンコ遊技盤３に打ち出されることなく発射経路５を戻ってくる場合に生じる。この場合には、フラグＦｒを値１にセットする処理を行なう（ステップＳ１３０）。
【００２９】
パチンコ玉Ｐがパチンコ玉発射検出部１０に対していずれの方向から侵入するかによりフラグＦｎもしくはフラグＦｒをセットした後（ステップＳ１２０，１３０）、各々相反するフラグＦｒ，Ｆｎが値１か否かの判断を行なう（ステップＳ１４０，１５０）。パチンコ玉Ｐが検出部１０に侵入した直後には、相反するフラグＦｒもしくはＦｎはセットされていないので、ＭＰＵ７２に内蔵のタイマをリセット（ｔ←０）を行なった後（ステップＳ１５５）、「ＮＥＸＴ」に抜けて本ルーチンを一旦終了する。一方、パチンコ玉Ｐが検出部１０を通り抜けたり、検出部１０の丁度半ばまできて戻ったりした場合には、両者のフラグがセットされることになる。そこで、パチンコ玉Ｐの挙動と判断の状態について説明する。
【００３０】
ポートＰＡ，ＰＢの状態を、検出部１０Ａ，１０Ｂの出力に基づいて、両者が共にパチンコ玉Ｐを検出していない状態を「１１」、一方が検出している状態を「０１」「１０」、両者が検出している状態を「００」と表わすものとすると、パチンコ玉Ｐの挙動により、次の５種類の変化が考えられる。
▲１▼  パチンコ玉Ｐが発射されて正常に通過するとき
「１１」→「０１」→「００」→「１０」→「１１」
▲２▼  パチンコ玉Ｐがパチンコ遊技盤３から戻ってきて通過するとき
「１１」→「１０」→「００」→「０１」→「１１」
▲３▼  パチンコ玉Ｐがパチンコ玉発射検出部１０の途中まで来て戻るとき
（Ａ）検出部１０Ａのみ検出して戻る場合
「１１」→「０１」→「０１」→「０１」→「１１」
（Ｂ）検出部１０Ａ，１０Ｂが共に検出して戻る場合
「１１」→「０１」→「００」→「０１」→「１１」
（Ｃ）一旦検出部１０Ｂのみが検出する状態となってから戻る場合
「１１」→「０１」→「００」→「１０」→「００」→「０１」→「１１」
【００３１】
▲１▼のケースでは、ステップＳ１５０での判断が最終的には「ＹＥＳ」となり、パチンコ玉Ｐの発射総数を示す変数ＣＳを値１だけインクリメントする処理を行なう（ステップＳ１６０）。
▲２▼のケースでは、ステップＳ１４０での判断が最終的には「ＹＥＳ」となり、パチンコ玉Ｐの発射総数を示す変数ＣＳを値１だけデクリメントする処理を行なう（ステップＳ１７０）。
▲３▼（Ｃ）のケースでは、一旦ステップＳ１５０での判断が「ＹＥＳ」となって変数ＣＳがインクリメントされた後、続けてステップＳ１４０での判断が「ＹＥＳ」となって変数ＣＳがデクリメントされるので、結果的に発射総数を示す変数ＣＳは増減しない。
ステップＳ１２０ないしステップＳ１７０の処理の後、ＭＰＵ７２は、タイマ変数ｔ値０を書き込むことで内蔵タイマをリセットし、これを０からスタートさせる処理を行なう（ステップＳ１５５）
【００３２】
▲４▼（Ａ）（Ｂ）のケースでは、ステップＳ１４０，１５０での判断が「ＹＥＳ」となることはない。こうした場合も含めて、パチンコ玉Ｐが検出部１０から離脱すると、やがてポートＰＡ，ＰＢは共にハイレベル（値１）となって、処理はステップＳ１８０に移行する。ステップＳ１８０では、ステップＳ１５５でリセットされたタイマｔにより、最後にパチンコ玉Ｐを検出したときから、時間ｔ１が経過したか否かの判断を行ない、経過していなければフラグＦｎ，Ｆｒを値０にリセットし（ステップＳ１９０）、「ＮＥＸＴ」に抜けて本ルーチンを一旦終了する。この結果、▲４▼（Ａ）（Ｂ）のケースでは、最終的にフラグは初期状態に戻り、発射総数を示す変数ＣＳは変化しない。
【００３３】
一方、時間ｔ１が経過したと判断されたときには、遊技者が発射ハンドル９２を操作しているにもかかわらずパチンコ玉発射検出装置２がパチンコ玉Ｐを所定時間ｔ１に亘って検出しない場合には、パチンコ玉Ｐが受け皿に供給されていなかったり、球詰まり等を起こしていると判断できるので、異常処理を行なう（ステップＳ２００）。異常処理としては、パチンコ遊技台１に接続されたホストコンピュータへの通知やパチンコ玉発射装置８０を所定時間停止する等の処理が考えられる。
【００３４】
以上説明したように、本実施例のパチンコ玉発射検出装置２によれば、この装置をパチンコ玉の発射経路５の１箇所に設置するだけで、パチンコ玉Ｐの通過方向を確実に特定し、パチンコ遊技盤３に供給されるパチンコ玉Ｐの総数ＣＳを確実に検出することができる。なお、総数ＣＳは、所定時間毎に０にリセットし、単位時間当たりの数としてカウントしてもよい。また、本実施例のパチンコ玉発射検出装置２は、パチンコ玉Ｐを非接触で確実に検出することができる。しかも、その検出部１０は、コイルＬ１を回路基板１３に形成された配線パターン５２により構成していることから、回路基板１３と一体化され、部品点数が低減される。このため、信頼性の向上を図ることができる。更に、部品点数が低減されることから、組立作業性に優れ、特に、コイルＬ１の回路基板１３への組付けが不要となる。しかも、この検出部１０の大きさは、回路基板１３そのものの大きさに制限されるだけであり、厚みの薄いコンパクトなものとすることができる。
【００３５】
以上説明した実施例では、回路基板１３の基材として樹脂製の通常のプリント基板を用いているが、これに替えて、可撓性の高いフィルム状のものを用いる構成としてもよい。こうした構成により、全体をさらに薄くすると共に、貫通孔５１の周囲の部分が破損しにくい回路基板を提供することができる。また、被検出体が貫通しない上述した検出部１０の検出精度を更に上げる上でも好適である。例えば、フィルム状のプリント基板を円筒状あるいは樋状に形成して、この内部を被検出体が通過するものとし、被検出体の通過方向にずれた位置に２以上のコイルを形成して、検出装置を構成することも可能である。なお、回路基板の材質によらず、検出部１０とＭＰＵ７２とを同一基板上に構成することも可能である。
【００３６】
以上のいくつかの実施例では、コイルＬ１を構成する配線パターン５２は、表面と裏面に１ターンを設けているに過ぎないが、これに替えて、図７に示すように、回路基板６０上のコイルＬ１を構成する配線パターン６１を表面と裏面に２ターンずつ形成してもよい。もとより、更にターン数の多い構成も可能である。また、検出部は、２個に限定されるものではなく、３以上であっても差し支えない。
【００３７】
以上本発明の実施例について説明したが、本発明はこうした実施例に何等限定されるものではなく、例えば、回路基板をケース内に収納せず裸のままで使用する構成、貫通孔を回路基板上に複数設けいずれかの貫通孔を被検出体が通過した場合にこれを検出する構成など、本発明の要旨を逸脱しない範囲において、種々なる態様で実施し得ることは勿論である。
【００３８】
なお、本発明は、コイルがからする磁束によって金属体内で渦電流を生じ、あるいは磁性体によりコイルの自己インダクタンスが変化し、発振回路の発振条件が変化することに着目してなされたものであり、被検出体としては、パチンコ玉以外の例えばメタル、硬貨、生産ライン上の部品、物流品等であっても差し支えない。この場合、貫通孔を設けるのであれば、被検出体の形状に応じた形状をとることは言うまでもない。
【図面の簡単な説明】
【図１】本発明の一実施例であるパチンコ玉発射検出装置の検出部１０の構成を示す斜視図である。
【図２】検出部１０のパチンコ遊技台１における配置を示す説明図である。
【図３】検出部１０の構成を示す分解斜視図である。
【図４】検出部１０の電気的な構成を示す回路図である。
【図５】パチンコ玉発射検出装置２の全体を示す電気回路図である。
【図６】パチンコ玉発射検出装置２の移動情報判定部に相当するプログラムのフローチャートである。
【図７】コイルを構成する配線パターンの別態様を示す平面図である。
【図８】渦電流を用いた従来の被検出体検出の様子を示す説明図である。
【符号の説明】
１０…検出部
１１…上蓋
１２…下箱
１３…回路基板
５１…貫通孔
５２…配線パターン
７０…制御回路
７２…ＭＰＵ
ＣＯ…発振回路
Ｌ１…コイル
ＳＷ…スイッチング回路
Ｔｒ１…双トランジスタ
【図１】
0003606172.tif 000002
【図２】
0003606172.tif 000003
【図３】
0003606172.tif 000004
【図４】
0003606172.tif 000005
【図５】
0003606172.tif 000006
【図６】
0003606172.tif 000007
【図７】
0003606172.tif 000008
【図８】
0003606172.tif 000009